(57)【要約】【課題】無限にある重力を回転エネルギーに変換して、発電用回転軸を回転させ発電する、重力発電システム。【解決手段】物体が落下するエネルギーを利用して回転軸を回転させ、落下した物体を重量差で引き上げ、引き下げられた物体を油圧、バネの反発力によって上部まで引き上げ、更に落下させる、途切れなく回転軸を回転させる為上記装置を１ユニットし４ユニット〜を構築して時間差で物体を落下させ回転軸を回転させて発電する、発電システム。【選択図】図１
2015137645.tif 000002
【特許請求の範囲】
【請求項１】
櫓を組み、滑車を取り付ける、ワイヤーの両端に錘Ａ１、錘９を付け、上下運動出きる様、滑車に掛け，滑車３Ｄ側に錘１Ａ，滑車２Ｄを通じ動滑車  １Ｄ側に錘９取り付ける、錘２Ａは、プーリＣに掛けられたベルトに固定され、接続器具によって錘Ａ１と繋げる。（図１、図３の１）
錘９は錘１Ａ、２Ａを素早く引き上げてＸ点に到達させる為、錘１Ａ、２Ａより重さを２．０〜倍以上にする。
油圧シリンダーＢ１を錘１Ａ、２Ａの上下運動の二分１の高さ（Ｚ点）を天端にして設置し、並べてシリンダーＢ２を設置して底部を連結し、高さを２倍とする。（図１）
【請求項２】
動滑車の理論を応用する（本考案の場合）
（錘を引き上げる力は二分の１、引き上げる線の長さは二倍）
所謂、錘９の上下運動は、錘１Ａ、２Ａの上下運動の二分の１で済み、シリンダーＢ１、Ｂ２の設置が容易になり本考案の最も重要な部分である。（図１）
【請求項３】
Ｙ点にある錘１Ａ、２Ａは錘９との重量差で引き上げられＸ点達する、同時に（シャフト、ピストンリングを取り付け、シリンダーＢ１に挿入した）錘９は下降し、作動油をシリンダーＢ２に流出、圧縮させながらＺ点に到達する、Ｚ点に有る錘９とＸ点にある錘１Ａ、２Ａが釣り合いがとれる様（シーソーと同じ様な状態）バネ１３の強度、オイル１１の量、錘９の重さ等調整する、Ｘ点に有る錘２Ａは錘９がＺ点に達したと同時に１Ａに取り付けられた接続器具（図３の１）から開放され落下し回転軸を回転させながらＹ点に達する、（図２）
Ｚ点に達した錘９は錘２Ａの落下する事により釣り合いが崩れ、シリンダーＢ２の油圧とバネの反発力により急上昇しＸ点に達する、錘１Ａも錘９の上昇にともない下降してＹ点の錘２Ａの上方に着する。（図１  図２）
上昇してＸ点に達した錘９はバネの反発力と油圧を失い錘１Ａ、２Ａを引き上げながら再び下降する、上昇しＸ点に達した錘２Ａは錘１Ａと切り離されて再び落下して、プーリを介して回転軸を回転させ発電機に伝達して発電する重力発電システム。
【請求項４】
Ｘ点より落下してＹ点にある錘２Ａは下降してきた錘１Ａによって、接続器具（図３の１）に接続されＹ点まで引き上げられ同時に落下するのを繰り返して行う、錘２Ａの落下時はプーリ１Ｃは回転し回転軸を回転させるが上昇時は、ラチェット歯車Ｅ、ラチェット爪２によりプーリ１Ｃは空回りし回転軸は回転しない。（図３）
【請求項５】
途切れなく回転軸を回転させる為、上記発電装置を１ユニットとし、４ユニット〜を構築して時間差で物体を落下させ回転軸の回転速度を安定化させる、又、フライホイール５を取り付け、より安定化させる、落下体を複数落下させる事により回転力が高まり、発電機の出力が増大する重力発電システム。（図２）
【発明の詳細な説明】
【技術分野】
【０００１】本考案は重力エネルギーを、回転エネルギーに変換して、発電モーターを回転させて発電する、重力発電システムに関するものである。
【背景技術】
【０００２】従来、重力を利用した発電装置がある、代表的なのが水力発電だが発電装置を作るうえで様々な問題点がある、環境、用地の取得、コスト、メンテナンス、又気候や季節の変動による、河川の水流の変化による水不足、等々リスクがある、その他、原子力発電の安全性、火力発電の燃料と大気汚染等、がある、自然エネルギーを利用した発電装置に、太陽光、風力、蒸気などあるが、まだまだ大規模発電と比べようがない、将来、自然エネルギーを利用した発電装置を増大していかなくてはならない、無限にある重力を利用した発電装置もそのひとつである。
【発明の概要】
【発明が解決しようとする課題】
【０００３】従来の発電方法は、安全性、環境、大気汚染、電力の安定供給に関して問題点がある、これら問題を解決する為に、自然エネルギーを利用した発電装置を、発明、開発して増やしていかなければならない、本考案は、自然エネルギーの重力を利用した発電システムであり、既存の発電装置の問題を解決する一翼を担う。
【問題を解決するための手段】
【０００４】高所から物体を落下させ、その重力エネルギーを、回転エネルギーに変換して回転軸を回転させて発電する、発電システム。
落下した錘１Ａ，２Ａは錘９との重量差で上部まで引き上げられる、錘９はジブとピストングを取り付けシリンダーＢ１に挿入しオイルを圧縮してシリンダーＢ２に流出させる、錘２Ａの落下と同時に、シリンダーＢ２の油圧とバネの反発力で上部に達することの繰り返しで回転軸を回転させて発電する発電システム。
【発明の効果】
【０００５】本考案の発電装置は、無限に有る重力を利用する、狭い土地でも設置可能昼夜発電する、重力のみを使用することで環境に優しく費用対効果が見込め実用化ができる。
【図面の簡単な説明】
【０００６】
【図１】展開図
【図２】立面図
【図３】本考案の実施例の切欠いた正面図
【発明を実施するための形態】
【０００７】
【実施例】
【０００８】櫓を組み、滑車３Ｄ、２Ｄ、動滑車１Ｄを取り付け、ワイヤーを掛その両端に錘１Ａ，２Ａ：錘９取り付ける、錘１Ａ，２Ａを素早く引き上げる為、錘９の重さを１．５倍以上にする。【０００９】錘９はＸ点、錘１Ａ，２ＡはＹ点に有るとき（図１）錘１Ａ，２Ａは錘９との重量差によって引き上げられてＸ点に達する同時に錘９も下降してＺ点に達する【００１０】シリンダーＢ１はＺ点を天端に設置し並べてシリンダーＢ２も設置して底部で連結し高さをシリンダーＢ１の２倍とする。【００１１】錘９は下降してＺ点に達した時、Ｘ点に有る錘１Ａ，２Ａと釣り合いが取れるよう、錘９の重さ、シリンダーＢ２のバネ、オイル等で調整する
（シーソと同じ様な状態にする）
錘９が下降してＺ点達すると、シリンダーＢ１のオイルはシリンダーＢ２流出しバネを圧縮させ、油面を押し上げる。【００１２】錘２ＡはＸ点に達したと同時に錘１Ａから切り離され（図３）落下して回転軸を回転させる、錘２Ａの落下によって、Ｚ点の錘９はバランスが崩れシリンダーＢ２の油圧とバネ反発力により急上昇し同時に錘１Ａも下降しＹ点の錘２Ａの上部に着する。Ｙ点に有る錘２Ａは接続器具（図３・１）を介して、錘１Ａによって引き上げられＸ点に達し又落下するの繰り返して行う重力発電装置【００１３】動滑車の理論を応用する（本考案の場合）
（錘を引き上げる力は二分の１、引き上げる線の長さは２倍）いわゆる錘９の上下運動は、錘１Ａ，２Ａの上下運動の二分の１済み、、シリンダー１Ｂ，２Ｂの設置が容易になる。【００１４】途切れることなく回転軸を回転させ、発電機に伝達させる為、
上記発電装置を、１ユニット、とし４ユニット〜を設置して、時間差で物体を落下させる、複数落下させることにより回転力が増し、発電機の出力があがる。又フライホイールを取り付け、回転を安定化させる（図２）
錘２Ａの落下によりプーリは回転軸を回転させるが上昇時はラチェット歯車とラチェット爪、によりプーリは空回りする。（図３）
【符号の説明】
【００１５】１  切り離し、接続器具
２  ラチェット爪
３  発電機
４  増速歯車
５  フライホイール
６  回転軸
７  Ｖベルト
８  ワイヤー
９  錘
１０  シャフト
１１  作動油
１２  ピストンリング
１３  スプリング
１４  リング
１５  オイル調整口
１Ｄ  動滑車
２Ｄ、３Ｄ  滑車
Ｂ１，Ｂ２  油圧シリンダー
Ｃ、１Ｃ  プーリ
【図１】
2015137645.tif 000003
【図２】
2015137645.tif 000004
【図３】
2015137645.tif 000005